(57)【特許請求の範囲】
【請求項１】
可変周波数型の発振器と、
入力されたオーディオ信号のエンベロープを得るためのエンベロープフォロワ、又は任意のエンベロープを得るためのエンベロープジェネレータを含み、前記発振器の出力周波数を変調する周波数変調手段と、
入力されたオーディオ信号と前記発振器の出力信号とを乗算してその乗算結果をエフェクタ出力として出力する乗算器と
を備えたことを特徴とするエフェクタ装置。
【請求項２】
前記周波数変調手段は、低周波発振器を更に備えると共に、前記エンベロープフォロワ、前記エンベロープジェネレータ又は前記低周波発振器のいずれかの出力を選択するスイッチを備えた
ことを特徴とする請求項１記載のエフェクタ装置。
【発明の詳細な説明】
【０００１】
【産業上の利用分野】
この発明は、入力されたオーディオ信号に所定の発振器出力を乗算して、入力されたオーディオ信号の音色及び音程を変化させるリングモジュレータ等のエフェクタ装置に関する。
【０００２】
【従来の技術】
エフェクタ装置の大部分は、音程をそのままに維持し、音色だけを変化させるものである。こうした中で、特有の位置を占めるものにリングモジュレータがある。リングモジュレータは、入力されたオーディオ信号の音色だけでなく音程をも変化させ、音色を鐘の音のようにするエフェクタ装置である。
図５は、従来のリングモジュレータの構成を示すブロック図である。
入力されるオーディオ信号を正弦波発生器２１から出力される正弦波信号に基づいて乗算器２２で振幅変調することにより、２つの入力信号の周波数の和及び差の周波数の出力が得られる。
正弦波信号の周波数が大きいと、出力される周波数は入力とかけ離れたものとなり、音色が鐘の音のようになる。
【０００３】
【発明が解決しようとする課題】
しかしながら、上述した従来のエフェクタ装置は、入力されるオーディオ信号とかけ離れた出力が得られるという点で、エフェクタとしてある程度の効果は得られるが、入力される音程が一定であれば、出力される音程も一定であるという点で、音程が単調になるという点は否めない。このため、入力音の破壊効果を更に望むユーザにとって、必ずしも満足できるものではなかった。
【０００４】
この発明は、このような問題点に鑑みなされたもので、出力の音程の単調さを排除して入力音の破壊効果をより高めることが可能なエフェクタ装置を提供することを目的とする。
【０００５】
【課題を解決するための手段】
この発明に係るエフェクタ装置は、可変周波数型の発振器と、入力されたオーディオ信号のエンベロープを得るためのエンベロープフォロワ、又は任意のエンベロープを得るためのエンベロープジェネレータを含み、前記発振器の出力周波数を変調する周波数変調手段と、入力されたオーディオ信号と前記発振器の出力信号とを乗算してその乗算結果をエフェクタ出力として出力する乗算器とを備えたことを特徴とする。
【０００６】
【作用】
この発明のエフェクタ装置によれば、入力されたオーディオ信号及び発振器出力を乗算器で乗算する際に、発振器出力の周波数も周波数変調手段で変調するようにしているので、これに応じてエフェクタ出力信号の音程も変化する。このため、出力音の音程が単調になるのを排除することができ、入力音の破壊効果を更に高めることができる。
【０００７】
【実施例】
以下、図面を参照して、この発明の実施例について説明する。
図１は、この発明の一実施例に係るエフェクタ装置の構成を示すブロック図である。
【０００８】
発振器１は、周期性を有する信号、例えば正弦波信号を出力する。この出力は乗算器３の一方の入力端に供給されている。乗算器３は、他方の入力端に入力されるオーディオ入力信号及び上記正弦波信号を乗算することにより、２つの入力信号の周波数の和及び差の周波数の信号をエフェクタ出力として出力する。発振器１から出力される正弦波信号の周波数は、操作子４、ＬＦＯ（Ｌｏｗ  Ｆｒｅｑｕｅｎｃｙ  Ｏｓｃｉｌｌａｔｏｒ）５，６、エンベロープフォロア７又はエンベロープジェネレータ８の出力によって制御されるようになっている。これらのうち、どの出力を正弦波信号の周波数変調に使用するかは、スイッチ２によって選択できるようになっている。
【０００９】
上述した発振器１は、可変周波数型の発振器で、取り扱う信号がアナログ信号であれば、ＶＣＯ（Ｖｏｌｔａｇｅ  Ｃｏｎｔｒｏｌｌｅｄ  Ｏｓｃｉｌｌａｔｏｒ  ）が使用される。また、取り扱う信号がディジタル信号の場合には、発振器１は例えば波形メモリ部１１及びアドレス生成部１２から構成される波形発生器を使用することができる。波形メモリ部１１には、正弦波の振幅波形が記憶されている。アドレス生成部１２は、波形メモリ部１１から一定の読出レートで振幅値を読み出す際の読出しアドレスを生成する。読出しアドレスの間隔を小さくすれば、読み出される正弦波の周波数は小さくなり、読出しアドレスの間隔を大きくすれば、読み出される正弦波の周波数は大きくなる。このアドレス増加分がスイッチ２を介して操作子４、ＬＦＯ５，６、エンベロープフォロア７又はエンベロープジェネレータ８から与えられる。
【００１０】
図２〜図４は、同装置の動作を説明するための図である。
スイッチ２が操作子４の出力を選択しているときには、操作子４によって指示された周波数ｆｏｓｃ  の正弦波が発振器１から出力される。この場合、図２に示すように、乗算器３からは、オーディオ入力信号の周波数ｆ０  と正弦波の周波数ｆｏｓｃ  との和と差の周波数の出力が得られる。
スイッチ２がＬＦＯ５の出力を選択すると、ＬＦＯ５からは例えば正弦波が出力されるので、発振器１の出力の周波数は、例えば図３（ａ）に示すように正弦波状に変調される。この結果、同図（ｂ）に示すように乗算器３の出力の音程に周期性を持たせることができる。また、スイッチ２がＬＦＯ５の出力を選択した場合には、ＬＦＯ６からは三角波が出力されるので、乗算器３の出力の音程を三角波状に変化させることができる。この他、ＬＦＯの波形を波形メモリ等を用いて様々な波形にすることにより、更に複雑な周期的変化を得ることができる。
【００１１】
スイッチ２がエンベロープフォロア７の出力を選択している場合には、オーディオ入力信号のエンベロープに応じて出力信号の音程が変化する。例えば、オーディオ入力信号からエンベロープフォロア７で図４（ａ）に示すような入力エンベロープが得られたとすると、同図（ｂ）に示すように乗算器３の出力の音程は、この入力エンベロープに応じて変化することになる。このため、入力が大きい場合には音程の変化が激しく、入力が小さい場合には入力音に近いというように、入力音の強弱によって出力の音程を変化させることができる。また、入力エンベロープと逆の周波数変化を生じさせれば、上述とは逆の特性が得られる。更に、こうした入力エンベロープをトリガとして利用し、エンベロープジェネレータ８に予め設定された任意のエンベロープに基づいて、出力の周波数を変化させても良い。
【００１２】
【発明の効果】
以上述べたように、この発明によれば、入力されたオーディオ信号及び発振器出力を乗算器で乗算する際に、発振器出力の周波数も変調するようにしているので、これに応じて出力の音程も変化し、出力音の音程が単調になるのを排除することができ、入力音の破壊効果を更に高めることができる。
【図面の簡単な説明】
【図１】この発明の一実施例に係るエフェクタ装置の構成を示すブロック図である。
【図２】同装置の動作を説明するための図である。
【図３】同装置の動作を説明するための図である。
【図４】同装置の動作を説明するための図である。
【図５】従来のリングモジュレータの構成を示すブロック図である。
【符号の説明】
１…発振器、２…スイッチ、３…乗算器、４…操作子、５，６…ＬＦＯ、７…エンベロープフォロア、８…エンベロープジェネレータ、１１…アドレス生成部、１２…波形メモリ部。
【図１】
0003617112.tif 000002
【図３】
0003617112.tif 000003
【図２】
0003617112.tif 000004
【図４】
0003617112.tif 000005
【図５】
0003617112.tif 000006